(57)【要約】【課題】フィルムのような非吸収または低吸収記録媒体において優れた耐擦性を有する記録物を提供することを課題とする。【解決手段】インクジェット法により、水系インクを非吸収または低吸収記録媒体に記録するインクジェット記録方法であって、前記記録媒体上に前記水系インクを付与し、着色層を形成する着色層形成工程と、前記着色層形成工程の後に、前記着色層を加熱する加熱工程と、を有し、前記水系インクは、着色材と、水と、炭素数７〜１０のアルカンジオールと、糖類と、を含むことを特徴とするインクジェット記録方法。【選択図】なし【特許請求の範囲】
【請求項１】
インクジェット法により、水系インクを非吸収または低吸収記録媒体に記録するインクジェット記録方法であって、
前記記録媒体上に前記水系インクを付与し、着色層を形成する着色層形成工程と、
前記着色層形成工程の後に、前記着色層を加熱する加熱工程と、を有し、
前記水系インクは、着色材と、水と、炭素数７〜１０のアルカンジオールと、糖類と、を含むことを特徴とするインクジェット記録方法。
【請求項２】
前記糖類が、単糖類、二糖類、三糖類及び四糖類以上の多糖類の少なくとも一種である、請求項１に記載のインクジェット記録方法。
【請求項３】
前記加熱工程における加熱温度は３５℃以上６０℃以下である、請求項１又は２に記載のインクジェット記録方法。
【請求項４】
前記炭素数７〜１０のアルカンジオールが、１，２−アルカンジオールである、請求項１〜３のいずれか一項に記載のインクジェット記録方法。
【請求項５】
前記水系インクが、更に、炭素数１〜６のアルカンジオールを含んでなる、請求項１〜４のいずれか一項に記載のインクジェット記録方法。
【発明の詳細な説明】
【技術分野】
【０００１】
本発明はフィルムのような非吸収または低吸収記録媒体における定着性と、目詰まり回復性に優れるインクジェット記録方法に関するものである。
【背景技術】
【０００２】
インクジェット記録方法とは、記録媒体にインク滴を吐出して記録を行う印刷方法である。近年、インクジェット記録技術の向上によって、これまで銀塩写真や色校正などの分野においてもインクジェット技術が用いられるようになってきている。それに伴い、銀塩写真や色校正などで使われている専用紙にて、銀塩写真並みの光沢感を実現するインクジェット記録用インクが開発されている。
【０００３】
また、近年、デジタルデータからの画像形成技術が普及したことに伴い、特に印刷分野では、デスクトップパブリッシング（ＤＴＰ）が普及しつつある。ＤＴＰにより印刷を行う場合であっても、実際の印刷物との光沢感や色感を確認するために、事前に色校正用プルーフを作製することが行われている。このプルーフの出力に、インクジェット記録方式を適用することが行われており、ＤＴＰにおいては印刷物の色再現性の高さ、色の安定性の高さが求められることから、記録媒体として、通常、インクジェット記録用の専用紙が使用されている。
【０００４】
インクジェット記録用の専用紙の一つであるプルーフ用紙は、印刷本紙に実際に印刷した出力物と光沢感や色感が同じになるように作製されている。このように、印刷本紙の種類に応じて専用紙の材質が適宜調整されているが、多種多様の印刷本紙に全て対応した専用紙を作製するのは製造コストの上昇を招く。そこで、色校正用途においては、専用紙よりも印刷本紙にインクジェット記録を行いたいとの技術的観点における要望がある。また、専用紙を用いずに、直接印刷本紙にインクジェット記録を行ったものを最終校正見本とできれば、校正にかかるコストを大幅に低減できるとの経済的観点における要望がある。また、印刷分野で広く使用されている、ポリエチレン樹脂やポリエステル樹脂に無機フィラー等を混合してフィルム化した合成紙は、リサイクル性に優れ、環境に優しい材料として近年注目されている。このような合成紙に記録を行いたいとの環境的観点における要望がある。
【０００５】
印刷本紙やフィルムは、水性インクを受容するための塗工層が乏しい、または塗工層を有していないため、水性の水系インクを使用すると、記録媒体へのインクの浸透性の低さから、記録物における定着性が悪い。
【０００６】
上記の問題に対し、特開２００９−２０９３３９号公報（特許文献１）には、インクジェット記録用水系インクに難水溶性のアルカンジオールと、トレハロースと、（ポリ）アルキレングリコールとを含むことにより、印刷本紙のような水性インクに対する低液性の記録媒体に着弾時間差が短い印刷をした場合でも、ブリーディングを低減した画像が実現できることが提案されている。
【先行技術文献】
【特許文献】
【０００７】
【特許文献１】特開２００９−２０９３３９号公報
【発明の概要】
【発明が解決しようとする課題】
【０００８】
先行特許に記載のインク組成は、滲みや凝集の発生を抑えるために、乾燥性の向上を図っており、それによって引き起こされる目詰まり回復性の低下を抑制するために、グリセリン、トリメチロールプロパン等の水溶性の保湿剤および、ポリオール等の難水溶性物質を含有している。しかし、これらの物質は保湿性が優れるため、フィルム上に定着しにくい。そこで本発明は、とりわけフィルムのような非吸収または低吸収記録媒体において優れた耐擦性を有する記録物を提供することを課題とする。
【課題を解決するための手段】
【０００９】
本発明者らは、今般、難水溶性のアルカンジオールと、トレハロースと、（ポリ）アルキレングリコールとを含むインクジェット記録用水系インクを用いて、吐出安定性に優れ、非吸収または低吸収記録媒体に印刷した後、加熱処理を施すことで、耐擦性が向上するという知見を得た。本発明はかかる知見に基づくものである。
【００１０】
本発明は、上記のとおりフィルムのような非吸収または低吸収記録媒体への定着性の問題を解決するためになされたものであり、以下の形態または適用例として実現することが可能である。
【００１１】
（適用例１）
水系インクを非吸収または低吸収記録媒体に記録するインクジェット記録方法であって、
前記記録媒体上に前記水系インクを付与し、着色層を形成する着色層形成工程と、
前記着色層形成工程の後に、前記着色層を加熱する加熱工程と、を有し、
前記水系インクは、着色材と、水と、炭素数７〜１０のアルカンジオールと、糖類と、を含むことを特徴とするインクジェット記録方法。
【００１２】
（適用例２）
前記糖類が、単糖類、二糖類、三糖類及び四糖類以上の多糖類の少なくとも一種である、適用例１に記載のインクジェット記録方法。
【００１３】
（適用例３）
前記加熱工程における加熱温度は３５℃以上６０℃以下である、適用例１又は２に記載のインクジェット記録方法。
【００１４】
（適用例４）
前記炭素数７〜１０のアルカンジオールが、１，２−アルカンジオールである、適用例１〜３のいずれか一例に記載のインクジェット記録方法。
【００１５】
（適用例５）
前記水系インクが、更に、炭素数１〜６のアルカンジオールを含んでなる、適用例１〜４のいずれか一例に記載のインクジェット記録方法。
【図面の簡単な説明】
【００１６】
【図１】本発明の実施形態に係る記録装置の構成を模式的に示す斜視図。
【発明を実施するための形態】
【００１７】
以下、本発明の一実施形態を、記録装置としてインクジェット式プリンターを用いた例により、図面に基づいて説明する。
【００１８】
〈インクジェット記録装置〉
図１に示すように、記録装置としてインクジェット式プリンター１（以下、プリンター１という）は、フレーム２を有している。フレーム２には温度調節可能な印刷物乾燥用プラテン３が設けられ、プラテン３上には、記録媒体送りモーター４の駆動によって記録媒体が給送されるようになっている。また、フレーム２にはプラテン３の長手方向と平行に、棒状のガイド部材５が設けられている。
【００１９】
ガイド部材５には、キャリッジ６がガイド部材５の軸線方向に往復移動可能に指示されている。キャリッジ６はフレーム２内に設けられたタイミングベルト７を介して、キャリッジモーター８に連結されている。そして、キャリッジ６はキャリッジモーター８の駆動により、ガイド部材５に添って往復移動されるようになっている。
【００２０】
キャリッジ６にはヘッド９が設けられるとともに、ヘッド９に液体としてのインクを供給するためのインクカートリッジ１０が着脱可能に配置されている。インクカートリッジ１０内のインクはヘッド９に備えられた図示しない圧電素子の駆動により、インクカートリッジ１０からヘッド９へと供給され、ヘッド９のノズル形成面に形成された複数のノズルから、プラテン３上に給送された記録媒体に対して吐出されるようになっている。これにより記録物を製造することが可能になる。
【００２１】
〈インクジェット記録方法〉
本開発によるインクジェット記録方法は、水系インクを非吸収または低吸収記録媒体に記録するインクジェット記録方法であって、前記記録媒体上に前記水系インクを付与し、着色層を形成する着色層形成工程と、前記着色層形成工程の後に、前記着色層を加熱する加熱工程とを有し、前記着色インクは、着色材と、水と、炭素数７〜１０のアルカンジオールと、糖類とを含むことを特徴とするインクジェット記録方法である。上記のインクジェット記録方法により、フィルムのような非吸収または低吸収記録媒体において良好な耐擦性を確保することができる。
【００２２】
着色層を形成する着色層形成工程は、水系インクをインクジェットすることにより行われる。また、着色層形成工程の温度は、特に限定されず、例えば、２５℃程度の室温で行うことが可能だが、さらに高い温度での印刷が望ましい。たとえば、２０℃〜１５０℃、好ましくは２５℃~１１０℃、さらに好ましくは３０~１００℃、特に好ましくは３５~６０℃で行うことができる。このようにすれば、水系インクに溶剤が含有されるときの乾燥速度を高めることができる。
【００２３】
乾燥手段としてはプラテン３を加熱してヒーターとして機能させても良いし、ヒーター線等により放射熱で加熱させても良いし、装置内に温風を送る手段を設けそれによって乾燥させても良い。また、他の公知の乾燥手段を用いてもよい。
〈インクジェット用記録媒体〉
【００２４】
本実施形態では記録対象となる記録媒体は特に限定されないが、ＰＰフィルムのようなインク非吸収性および低吸収性の記録媒体が望ましい。
【００２５】
インク非吸収性または低吸収性の記録媒体とは、インクの受容層を備えていない、またはインクの受容層が乏しい記録媒体をいう。より定量的には、インク非吸収性および低吸収性の記録媒体とは、記録面がブリストー法において接触開始から３０ｍｓｅｃ1/2までの水吸収量が１０ｍＬ／ｍ2以下である記録媒体を示す。このブリストー法は短時間での液体吸収量の測定方法として最も普及している方法であり、日本紙パルプ技術協会（ＪＡＰＡＮ  ＴＡＰＰＩ）でも採用されている。
【００２６】
インク非吸収性記録媒体としては、例えばインクジェット記録用に表面処理をしておらず、インク受容層を有していないプラスチックフィルムや、紙などの支持体にプラスチックがコーティングされているものやプラスチックフィルムが接着されているもの等が挙げられる。ここでいうプラスチックとしてはポリエチレンテレフタレート（ＰＥＴ）、ポリカーボネート（ＰＣ）、ポリスチレン（ＰＳ）、ポリプロピレン（ｐｐ）、ポリ塩化ビニル（ｐｖｃ）等が挙げられる。
【００２７】
インク低吸収性記録媒体としては、例えばシリカゲル等が支持体に塗工された塗工紙のことを指し、例えば、アート紙、コート紙、マット紙や、キャスト紙等の印刷本紙が挙げられる。塗工紙は、紙の支持体の上に、タルク、パイロフィライト、カオリン、酸化チタン、炭酸マグネシウム、炭酸カルシウムなどの顔料と、デンプン、ポリビニルアルコールなどの接着剤を混合して作る。
【００２８】
〈水系インク〉
本発明による水系インクは、水と、着色材と、炭素数７〜１０のアルカンジオールと、糖類と、を少なくとも含んでなる。以下、水系インクに含まれる各成分について説明する。
【００２９】
＜炭素数７〜１０のアルカンジオール＞
本発明の水系インクには、炭素数７〜１０のアルカンジオールが含まれる。本発明の好ましい態様によれば、炭素数７〜１０のアルカンジオールは、１，２−アルカンジオールである。炭素数７〜１０の１，２−アルカンジオールとしては、例えば、１，２−ヘプタンジオール、１，２−オクタンジオール、５−メチル−１，２−ヘキサンジオール、４−メチル−１，２−ヘキサンジオール、または４，４−ジメチル−１，２−ペンタンジオール等が挙げられる。これらの中でも、１，２−オクタンジオールがより好ましい。
【００３０】
本発明の好ましい態様によれば、炭素数７〜１０のアルカンジオールの含有量は、適宜決定されてよいが、組成物全体に対し、１．０〜４．０質量％が好ましく、より好ましくは１．５〜３．０質量％であり、さらに好ましくは２．０〜２．５質量％である。
【００３１】
＜（ポリ）アルキレングリコール＞
本発明による水系インクは、（ポリ）オキシアルキレングリコールを含んでいても良い。
【００３２】
本発明による水系インクに含まれる（ポリ）オキシアルキレングリコールは特に限定されないが、例えば、エチレングリコール、ジエチレングリコール、トリエチレングリコール、プロピレングリコール、ジプロピレングリコール、およびトリプロピレングリコールからなる群から選択される一種または二種以上である。これら化合物は、エチレンオキサイドおよび／またはプロピレンオキサイドの付加重合によって得られるオリゴマーである。
【００３３】
本発明において（ポリ）アルキレングリコールは、インクのブリーディングを効率良く抑制出来る限りにおいて、適宜決定されてよいが、水系インク全体に対し、２．０〜１０．０質量％含有させることができる。
【００３４】
〈糖類〉
本発明による水系インクに含まれる糖類は、特に限定されず、単糖類、二糖類、三糖類及び四糖類以上の多糖類の少なくとも一種である。単糖類としてはフルクトース等、二糖類としてはトレハロース、マルトース、スクロース等、三糖類としてはラフィノース等が挙げられる。トレハロースは、グルコースの１位同士がグルコシド結合をした非還元性の二糖類である。非還元糖であるため、メーラード反応による褐色変化が起きないことから、インクの保存安定性の観点から好ましい。また、結晶性が高いため、水溶性が低く、吸湿性が極めて低い特性を有する。さらに、三糖類としてラフィノース、四糖類以上は多糖類からなる。
【００３５】
また、多糖類を含む水系インクは、高温常湿密閉環境下での目詰まり回復性を向上できる。理由は定かではないが、吸湿性が極めて低いので、キャップ内に滞留している廃液インクが、ノズルのメニスカスのインクから水分を奪うことがないので、キャップ密閉されている状態での目詰まり回復性に優れると考えられる。
【００３６】
本発明の好ましい態様によれば、単糖類、二糖類、三糖類、四糖類以上の多糖類のうち、少なくとも二種類以上を含む混合糖は、上記の効果を奏する限りにおいて、適宜決定されてよいが、水系インク全体に対し、２．０〜１０．０質量％含有されていることが好ましく、より好ましくは３．０〜８．０質量％である。上記範囲とすることで、高温常湿密閉環境下での目詰まり回復性を向上させることから好ましい。
【００３７】
さらに、本発明の好ましい態様によれば、難水溶性のアルカンジオールと、トレハロースとの含有量比が、それぞれ１：１〜１：５であることが好ましく、より好ましくはそれぞれ１：２〜１：４である。
【００３８】
＜炭素数１〜６のアルカンジオール＞
本発明の水系インクは、炭素数１〜６のアルカンジオールを含んでいても良い。炭素数１〜６のアルカンジオールは、両末端または片末端アルカンジオールである。炭素数１〜６のアルカンジオールは、好ましくは、１，２−ヘキサンジオール、１，６−ヘキサンジオール等の水溶性のヘキサンジオールが挙げられ、その中でも１，２−ヘキサンジオールが好ましい。また、高周波数での吐出安定性が優れる観点から、１，６−ヘキサンジオールであってもよい。
【００３９】
さらに、本発明の好ましい態様によれば、炭素数７〜１０のアルカンジオールと、炭素数１〜６のアルカンジオールとの含有量質量比が、それぞれ１：１〜１０：１であることが好ましく、より好ましくはそれぞれ２：１〜４：１である。
【００４０】
＜その他の溶剤＞
本発明にかかる水系インクは、上述した特定の溶剤以外の、その他の溶剤を含んでいてもよい。その他の溶剤としては、特に限定されないが、例えば、グルコールエーテル類が挙げられる。
【００４１】
グリコールエーテル類の具体例としては、エチレングリコールモノメチルエーテル、エチレングリコールモノエチルエーテル、エチレングリコールモノ−ｉｓｏ−プロピルエーテル、エチレングリコールモノ−ｎ−ブチルエーテル、エチレングリコールモノ−ｉｓｏ−ブチルエーテル、エチレングリコールモノ−ｔｅｒｔ−ブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、ジエチレングリコールモノ−ｉｓｏ−プロピルエーテル、ジエチレングリコールモノ−ｎ−ブチルエーテル、ジエチレングリコールモノ−ｔｅｒｔ−ブチルエーテル、トリエチレングリコールモノ−ｎ−ブチルエーテル、プロピレングリコールモノメチルエーテル、プロピレングリコールモノエチルエーテル、プロピレングリコールモノ−ｎ−プロピルエーテル、プロピレングリコールモノ−ｉｓｏ−プロピルエーテル、プロピレングリコールモノ−ｎ−ブチルエーテル、プロピレングリコールモノ−ｔｅｒｔ−ブチルエーテル、ジプロピレングリコールモノメチルエーテル、ジプロピレングリコールモノエチルエーテル、ジプロピレングリコールモノ−ｎ−プロピルエーテル、ジプロピレングリコール−ｉｓｏ−プロピルエーテル、ジプロピレングリコールモノ−ｎ−ブチルエーテル、ジプロピレングリコールモノ−ｔｅｒｔ−ブチルエーテル、１−メチル−１−メトキシブタノールなどが挙げられ、これらの一種または二種以上の混合物として用いることができる。
【００４２】
上記グリコールエーテル類のなかでも、多価アルコールのアルキルエーテルが好ましく、特にエチレングリコールモノエチルエーテル、エチレングリコールモノ−ｎ−ブチルエーテル、ジエチレングリコールモノメチルエーテル、ジエチレングリコールモノエチルエーテル、ジエチレングリコールモノ−ｎ−ブチルエーテル、プロピレングリコールモノメチルエーテル、プロピレングリコールモノエチルエーテル、プロピレングリコールモノブチルエーテル、トリエチレングリコールモノメチルエーテル、トリエチレングリコールモノエチルエーテルまたはトリエチレングリコールモノ−ｎ−ブチルエーテルが好ましい。
より好ましくは、トリエチレングリコールモノメチルエーテルおよびトリエチレングリコールモノ−ｎ−ブチルエーテルである。
【００４３】
上記グリコールエーテル類の添加量は適宜決定されてよいが、０．１〜３０質量％が好ましく、より好ましくは１〜２０質量％である。
【００４４】
＜顔料＞
顔料としては、無機顔料および有機顔料を使用することができ、それぞれ単独または複数種を混合して用いることができる。前記無機顔料としては、例えば、酸化チタンおよび酸化鉄の他に、コンタクト法、ファーネス法、サーマル法等の公知の方法によって製造されたカーボンブラックが使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。
【００４５】
＜分散剤＞
本発明による水系インクは、顔料を分散させる目的で分散剤を含んでいても良い。分散剤としては、スチレン−アクリル酸系共重合樹脂、オキシエチルアクリレート系樹脂、ウレタン系樹脂、およびフルオレン系樹脂からなる群から選択され、好ましくはスチレンアクリル酸樹脂を含んでなることが好ましい。
【００４６】
＜界面活性剤＞
本発明によるインクジェット記録用水系インクは、界面活性剤を含んでもよい。
本発明において用いられる界面活性剤としては、特に限定されないが、アセチレングリコール系界面活性剤、ポリオルガノシロキサン系界面活性剤を好適に使用できる。
【００４７】
ポリオルガノシロキサン系界面活性剤としては、例えば、界面活性剤は市販されているものを用いてもよく、例えば、オルフィンＰＤ−５０１（日信化学工業株式会社製）、オルフィンＰＤ−５７０（日信化学工業株式会社製）、ＢＹＫ−３４７（ビックケミー株式会社製）、ＢＹＫ−３４８（ビックケミー株式会社製）等を用いることができる。
【００４８】
また、ポリオルガノシロキサン系界面活性剤として、下記式（Ｉ）：
【００４９】
【化１】
2013155328.tif 000002
（式中、Ｒは水素原子またはメチル基を表し、ａは７〜１１の整数を表し、ｍは３０〜５０の整数を表し、ｎは３〜５の整数を表す。）で表される一種または二種以上の化合物を含んでなるか、または、上記式（Ｉ）の化合物において、式中、Ｒは水素原子またはメチル基を表し、ａは９〜１３の整数を表し、ｍは２〜４の整数を表し、ｎは１〜２の整数である一種または二種以上の化合物を含んでなることがより好ましい。また、上記式（Ｉ）の化合物において、Ｒは水素原子またはメチル基を表し、ａは６〜１８の整数を表し、ｍは０の整数を表し、ｎは１の整数である一種または二種以上の化合物を含んでなることがより好ましい。さらに、上記式（Ｉ）の化合物において、Ｒは水素原子を表し、ａは２〜５の整数を表し、ｍは２０〜４０の整数を表し、ｎは３〜５の整数である一種または二種以上の化合物を含んでなることがより好ましい。このような特定のポリオルガノシロキサン系界面活性剤を使用することにより、記録媒体として印刷本紙に印刷した場合であっても、インクのビーディングとブリーディングがより改善される。
【００５０】
上記式（Ｉ）の化合物においては、Ｒがメチル基である化合物を使用することによって、さらにインクのビーディングが改善できる。また、上記式（Ｉ）の化合物においては、Ｒが水素原子である化合物を併用することにより、さらにインクのブリーディングが改善できる。
【００５１】
上記式（Ｉ）の化合物においては、Ｒがメチル基の化合物とＲが水素原子の化合物との配合割合を適宜、調整することにより、さらにブリーディングやビーディングのない高品質な画像が実現でき、また顔料種や樹脂量により流動性が異なる場合の調整剤として効果的である。
【００５２】
上記界面活性剤は、本発明によるインク組成物中に、好ましくは０．０１〜１．０w％、より好ましくは０．０５〜０．５０w％含有される。
【００５３】
アセチレングリコール系界面活性剤としては、例えば、２，４，７，９−テトラメチル−５−デシン−４，７−ジオール、３，６−ジメチル−４−オクチン−３，６−ジオール、または３，５−ジメチル−１−ヘキシン−３オール、２，４−ジメチル−５−ヘキシン−３−オールなどが挙げられる。また、アセチレングリコール系界面活性剤は市販品も利用することができ、例えば、オルフィンＥ１０１０、ＳＴＧ、Ｙ（商品名、日信化学社製）、サーフィノール６１、１０４，８２，４６５，４８５、あるいはＴＧ（商品名、Ａｉｒ  Ｐｒｏｄｕｃｔｓ  ａｎｄ  Ｃｈｅｍｉｃａｌｓ  Ｉｎｃ．製）が挙げられる。
【００５４】
＜水、その他の成分＞
本発明による水系インクは、上記した成分に加えて、溶媒として水を含有する。水は、イオン交換水、限外濾過水、逆浸透水、蒸留水等の純水または超純水を用いることが好ましい。特に、これらの水を、紫外線照射または過酸化水素添加等により滅菌処理した水は、長期間に亘ってカビやバクテリアの発生が防止されるので好ましい。また、その他の成分として防腐剤、防カビ剤等を含んでいても良い。
【００５５】
（実施例および比較例）
以下、本発明の実施例について表やグラフを参照して説明するが、これらは本発明の範囲を限定するものではない。
【００５６】
＜水系インクの調整＞
下記表１の組成に従い各成分を混合し、８μｍのメンブランフィルターでろ過することにより、各インクを調製した。下記表１中の数値はインク中の含有量（質量％）を表す。また、樹脂は固形分の含有量（質量％）を表す。
【００５７】
下記表１中の顔料分散液は、着色剤としてＣ．Ｉ．ピグメントブラック７を１０質量％、分散剤としてスチレンアクリル酸（重量平均分子量１６５００、酸価２４０、Ｔｇ１００℃）を３質量％、分散媒としてイオン交換水を８７質量％混合・攪拌して作製した。
また、水系インクの調製に使用した糖類は、いずれも林原株式会社製の「HSシリーズ」であり、その詳細は表２示した通りである。
また、表１中のＡＱＵＡＣＥＲ５１５はビックケミージャパン株式会社製のものを使用した。
また、表１中におけるポリオルガノシロキサン系界面活性剤は、上記の式（Ｉ）において、Ｒがメチル基であり、ａが６〜１８の整数であり、ｍが０の整数であり、ｎが１の整数である化合物と、上記の式（Ｉ）において、Ｒが水素原子であり、ａが７〜１１の整数であり、ｍが３０〜５０の整数であり、ｎが３〜５の整数である化合物と、上記の式（Ｉ）において、Ｒがメチル基であり、ａが９〜１３の整数であり、ｍが２〜４の整数であり、ｎが１〜２の整数である化合物とからなる界面活性剤の混合物であり、その質量比は１：１：１である。
【００５８】
【表１】
2013155328.tif 000003
【００５９】
【表２】
2013155328.tif 000004
＜目詰まり回復性の評価＞
表１に記載の各ブラックインクを、インクジェットプリンター（ＰＸ−Ｇ９３０、セイコーエプソン社製）のインクカートリッジに充填して装着した。その後、プリンタードライバーを用いて、プリンターのヘッドにインクを充填し、通常記録できることを確認した。さらに、インクカートリッジ交換位置にキャリッジを移動させてから、コンセントを抜き、インクカートリッジを外してから、ヘッドを外した。このように、インクカートリッジとヘッドキャップが外れた状態にしてから、ヘッドを温度４０℃、湿度２０％の環境に３日間放置した。
【００６０】
放置後、キャリッジに放置したヘッドを元通りに装着し、さらに、常温常湿環境に放置しておいたインクカートリッジを元通りに装着し、全ノズルが初期と同等に吐出するまでクリーニング動作を繰り返し、以下の判断基準により、目詰まり回復性を評価した。なお、Ａ、B及びCが実用上許容される。評価結果を表３に示す。
Ａ：９０％以上回復する。
Ｂ：７０％以上９０％未満回復する。
Ｃ：５０％以上７０％未満回復する。
Ｄ：３０％以上５０％未満回復する。
【００６１】
＜記録物の耐擦性評価＞
（１）            耐擦性試験
表３に記載の条件にて、インクジェットプリンター（ＰＸ−Ｇ９３０、セイコーエプソン社製）のインクカートリッジに充填して装着した。そして、プリンタードライバーを用いて、プリンターのヘッドにインクを充填した。また、該プリンターは記録位置において、記録媒体を加熱することができるように、温度調節可能なプラテンヒーターを取り付ける改造を行い、加熱工程を行うことができるようにした。非吸収性の記録媒体であるルミラーＳ１０（プラスチックフィルム、東レ株式会社製）に、Ｄｕｔｙ１００％のベタパターンを記録した。
【００６２】
実施例１〜４では、４５℃に加熱したプラテンヒーターによって、印刷物の加熱工程を実施した。
【００６３】
上記で得られた実施例１〜４及び比較例１〜６の記録物を３cm幅で裁断し、学振型摩耗堅牢度試験機，No．４２８  学振形染色摩擦堅ろう度試験機（商品名，安田精機製作所）にセットし、接触部にＮｐｉ上質紙を取り付けた摩擦子（荷重５００g）にて、１０回擦ることで耐擦性評価を実施した。
以下の判断基準に従い、目視によって定着性を評価した。
Ａ：剥離しない箇所が９０％以上。
B：剥離しない箇所が６０％以上９０％未満。
C：剥離しない箇所が３０％以上６０％未満。
【００６４】
【表３】
2013155328.tif 000005
【符号の説明】
【００６５】
１  インクジェット式プリンター、２  フレーム、３  プラテン、４  記録媒体送りモーター、５  ガイド部材、６  キャリッジ、７  タイミングベルト、８  キャリッジモーター、９  ヘッド、１０  インクカートリッジ、Ｐ  用紙。
【図１】
2013155328.tif 000006